(57)【要約】【課題】必要時や不要時の区別なく、玄関等に置きっぱなしにできる新規な傘立てを提供する。【解決手段】本願傘立て１は、縦枠２と、該縦枠２の上位に水平又は水平より一定の仰角をもって傾斜して設けた傘挿し穴枠３と、前記縦枠２の下位に設けた台座となる水滴受皿４と、該水滴受皿４の上面を覆う石突挿し穴枠５とからなり、かつ、前記傘挿し穴枠３の穴６と石突挿し穴枠５の穴７の中心を鉛直方向に一致させたことを特徴とし、縦枠を介して対向する傘挿し穴枠及び石突挿し穴枠の間隔を小さく設定しても穴同士の中心が鉛直方向に一致しているため、傘を立てた状態に確実に保持できるように構成した。【選択図】図１
0003136732.tif 000002
【実用新案登録請求の範囲】
【請求項１】
縦枠と、該縦枠の上位に水平又は水平より一定の仰角をもって傾斜して設けた傘挿し穴枠と、前記縦枠の下位に設けた台座となる水滴受皿と、該水滴受皿の上面を覆う石突挿し穴枠とからなり、かつ、前記傘挿し穴枠の穴と石突挿し穴枠の穴の中心を鉛直方向に一致させたことを特徴とする傘立て。
【請求項２】
前記縦枠と傘挿し穴枠と水滴受皿及び石突挿し穴枠が、鉄板をプレス加工しこれらを組み立てた後、表面にポリエチレンコーティングを施してなることを特徴とする請求項１に記載の傘立て。
【請求項３】
前記縦枠を正方形とし、これに直交する２面を正方形の傘挿し穴枠とし、これら各枠に直交する３面を正方形の窓状枠として立方体を形成し、該立方体の窓状枠の周枠に載置できる底部を有し、石突挿し穴枠を上面に持つ水滴受皿を設けたことを特徴とする請求項１又は２に記載の傘立て。
【考案の詳細な説明】
【技術分野】
【０００１】
本考案は、雨に濡れた傘（特に、洋傘）が立て易く、雨水を確実に捕獲でき、しかも、小型にしてシンプルで玄関等に置きっぱなしにできる傘立てに関するものである。
【背景技術】
【０００２】
従来、この種の傘立ては、必要時（雨の日）には大きく展開でき、雨の日以外は小さく折り畳んで仕舞える大型の形態のものが多かった。
【考案の開示】
【考案が解決しようとする課題】
【０００３】
しかしながら、必要時の展開や不要時の折り畳みには面倒が伴った。また、折り畳んでも思うほど小さくならず、玄関等に備えた下駄箱等の片隅に収納しきれず、邪魔な存在でもあった。
【０００４】
本考案は、上記問題を解消するためのもので、その目的とするところは、必要時や不要時の区別なく、玄関等に置きっぱなしにできる新規な傘立てを提供することにある。
【課題を解決するための手段】
【０００５】
上記目的を達成するため、本考案に係る傘立ては、縦枠と、該縦枠の上位に水平又は水平より一定の仰角をもって傾斜して設けた傘挿し穴枠と、前記縦枠の下位に設けた台座となる水滴受皿と、該水滴受皿の上面を覆う石突挿し穴枠とからなり、かつ、前記傘挿し穴枠の穴と石突挿し穴枠の穴の中心を鉛直方向に一致させたことを特徴とし、縦枠を介して対向する傘挿し穴枠及び石突挿し穴枠の間隔を小さく設定しても穴同士の中心が鉛直方向に一致しているため、傘を立てた状態に確実に保持できるように構成した。
【０００６】
また、請求項２に記載の考案に係る傘立ては、縦枠と傘挿し穴枠と水滴受皿及び石突挿し穴枠が、鉄板をプレス加工し組み立てた後、表面にポリエチレンコーティングを施してなることを特徴とし、全体的に鉄板の重量を有し、プレス加工時にできる切断面のバリを皮膜で覆い危険性を排除できるように構成した。
【０００７】
また、請求項３に記載の考案に係る傘立ては、前記縦枠を正方形とし、これに直交する２面を正方形の傘挿し穴枠とし、これら各枠に直交する３面を正方形の窓状枠として立方体を形成し、該立方体の窓状枠の周枠に載置できる底部を有し、石突挿し穴枠を上面に持つ水滴受皿を設けたことを特徴とし、前記縦枠の傘挿し穴を含め、傘挿し穴枠の穴の数を異にしておくことにより、家族や来客数に合わせて傘挿し穴の数が自由に選べるように構成した。
【考案の効果】
【０００８】
本考案に係る傘立てによれば、前記縦枠を介して対向する傘挿し穴枠及び石突挿し穴枠の間隔を小さく設定しても対向する穴同士の中心が鉛直方向に一致しているため、傘を立てた状態に確実に保持でき、したがって、傘立て全体を小型化でき、必要時及び不要時の区別なく、玄関等に置きっぱなしにして嵩張ることがないという優れた効果を奏するものである。
【０００９】
また、請求項２に記載の考案に係る傘立てによれば、全体的に鉄板の重量を有し、プレス加工時にできる切断面のバリを皮膜で覆い危険性を排除できるという優れた効果を奏するものである。
【００１０】
また、請求項３に記載の考案に係る傘立てによれば、前記縦枠の傘挿し穴数を含め、傘挿し穴数を、例えば、３つ、４つ、５つつの如く異にしておくことにより家族数や来客数に合わせて傘挿し穴の数が自由に選べるという優れた効果を奏するものである。
【考案を実施するための最良の形態】
【００１１】
次に、本考案の実施するための最良の形態を図面に基づいて説明する。図１は本願傘立ての第１形態の斜視図、図２は同中央縦断面図、図３は本願傘立ての第２形態の斜視図、図４は基材とコート層を示す部分拡大断面図、図５は本願傘立ての第３形態の斜視図、図６は同中央縦断面図である。
【００１２】
１は本願傘立て、該本願傘立て１は、縦枠２と、該縦枠２の上位に設けた傘挿し穴枠３と、前記縦枠２の下位に設けた台座となる水滴受皿４と、該水滴受皿４の上面を覆うように縦枠２の内面に取付代５′を介して取付た石突挿し穴枠５とからなる。前記傘挿し穴枠３の穴６と石突挿し穴枠５の穴７の中心は、それぞれ鉛直方向に一致させ、両穴６、７により、図２の如く、傘８が鉛直方向に保持されるようにしている。
【００１３】
前記本願傘立て１は、図１の如く傘挿し穴枠３の枠幅が狭く、穴６が一列に配置されている第１の形態、図３の如く傘挿し穴枠３が正方形になり、穴６がいわゆるサイコロの五の目のように配置している第２の形態、図５の如く正立方体（六面体）の３面（縦枠２を含む）にそれぞれ穴６を設け、他の３面を窓状枠１２とし、この窓状枠１２の周枠に石突挿し穴枠５を上面に支持した水滴受皿４の底部を載置させた第３の形態の３種がある。もっとも、本願傘立て１は上記３種の形態には限らないし、穴６の数及び配置も自由に決定できることは勿論である。
【００１４】
前記傘挿し穴枠３は、縦枠２に対して水平線（一点鎖線に沿って）Ｌに沿って設けてもよいが、第１、第２の形態では水平線Ｌより一定の仰角Ｒをもって傾斜させている。これは、傘の挿し易くや抜き易さを考慮したものである。前記傘挿し穴枠３の穴６及び石突挿し穴枠５の穴７は図示の如く円形がよく、その直径は汎用の傘を想定して決められることとなる。
【００１５】
前記水滴受皿４は、傘８から石突き８′を通して滴り落ちる水滴を収容できる扁平箱型に形成されている。この水滴受皿４の幅は、前記傘挿し穴枠３の枠幅に合わせて方形に設計されるが、デザイン上、漫画の主人公や動物、乗物の形態にしてもよい。なお、図１の場合は水滴受皿４が細幅であることから転倒防止のために４隅に接地部材４′を付設している。この水滴受皿４の上面を覆った前記石突挿し穴枠５は、水滴受皿４に溜まった水を排除できるだけの距離Ａを隔てて覆っている。
【００１６】
前記本願傘立て１の各部分を構成する、縦枠２、傘挿し穴枠３、水滴受皿４及び石突挿し穴枠５は、それぞれ厚手の鉄板（３〜４ｍｍ厚程度）をプレス加工し、それぞれを溶接技術により組み立ててなるが、厚手の鉄板はプレス加工時に切断面にバリができることから、本願傘立ての場合には、図４の如く基材９の表面にコート層１０を焼付により施している。このコート層１０はバリを隠蔽するためのもので、ポリエチレンコーティングが好ましい。前記コート層１０を施した本願傘立て１は表面が柔らかく、傘にも床にもやさしい製品になる。
【００１７】
前記本願傘立て１の各部分を上述の如く厚手の鉄板（基材）９で構成したのは、該本願傘立て１に全体的に必要な重量（傘を鉛直方向に保持する重さ）を確保するためである。また、コート層１０として上記においてポリエチレンコーティングを例にしたが、ポリエチレンに限らず、他に相応しい材料（プラスチック）があればそれを利用してもよいことは勿論である。
【００１８】
図５に示す正立方体（六面体）の本願傘立て（第３の形態）１は、縦枠２とこれに直交した２つの傘挿し穴枠３、３に異なる数の穴６を設け、これらに対向する３つの面を周囲に額縁状のリブ１１を有する窓状枠１２とし、一つの窓状枠１２を図６の如く接地し、その周囲のリブ１１上に、石突挿し穴枠５を支柱１３を介して取付けた水滴受皿４の底部を載置させると、傘挿し穴枠３と石突挿し穴枠５とが対向し、それぞれの穴６と７が一致することとなる。すなわち、上面の穴数を家族数や来客数に合わせて自由に選べるようになる。上面の穴数を変更したときは、石突挿し穴枠５を水滴受皿４とともに、図６の二点鎖線の如く、転動させることとなる。
【産業上の利用可能性】
【００１９】
本願傘立ては、上述の如く、必要時や不要時を問わず、玄関などに置きっぱなしにして嵩張らず、したがって、家庭は勿論、人の集まる会社、事務所その他の場所などの玄関内に設置して利用可能性が極めて高いものである。
【図面の簡単な説明】
【００２０】
【図１】本願傘立ての第１形態の斜視図である。
【図２】同、中央縦断面図である。
【図３】本願傘立ての第２形態の斜視図である。
【図４】基材とコート層を示す部分拡大断面図である。
【図５】本願傘立ての第３形態の斜視図である。
【図６】同、中央縦断面図である。
【符号の説明】
【００２１】
１  本願傘立て
２  縦枠
３  傘挿し穴枠
４  水滴受皿
４′  接地部材
５  石突挿し穴枠
５′  取付代
６  穴
７  穴
８  傘
９  鉄板（基材）
１０  コート層
１１  リブ
１２  窓状枠
１３  支柱
Ｌ  水平線
Ｒ  仰角
【図１】
0003136732.tif 000003
【図２】
0003136732.tif 000004
【図３】
0003136732.tif 000005
【図４】
0003136732.tif 000006
【図５】
0003136732.tif 000007
【図６】
0003136732.tif 000008
【手続補正書】
【提出日】平成19年9月5日(2007.9.5)
【手続補正１】
【補正対象書類名】実用新案登録請求の範囲
【補正対象項目名】全文
【補正方法】変更
【補正の内容】
【実用新案登録請求の範囲】
【請求項１】
縦枠と、該縦枠の上位に水平又は水平より一定の仰角をもって傾斜して設けた傘挿し穴枠と、前記縦枠の下位に設けた台座となる水滴受皿と、該水滴受皿の上面を覆う石突挿し穴枠とからなり、かつ、前記傘挿し穴枠の穴と石突挿し穴枠の穴の中心を鉛直方向に一致させたことを特徴とする傘立て。
【請求項２】
前記縦枠と傘挿し穴枠と水滴受皿及び石突挿し穴枠が、鉄板をプレス加工しこれらを組み立てた後、表面にポリエチレンコーティングを施してなることを特徴とする請求項１に記載の傘立て。
【請求項３】
縦枠を正方形とし、該縦枠を含めこれに直交する正方形の２面を傘挿し穴枠とし、これら各枠に対面する正方形の３面を窓状枠としてなる立方体と、該立方体の窓状枠の周枠に載置できる底部を有し、石突挿し穴枠を上面に持つ水滴受皿とを、設けたことを特徴とする傘立て。
【手続補正２】
【補正対象書類名】明細書
【補正対象項目名】０００７
【補正方法】変更
【補正の内容】
【０００７】
また、請求項３に記載の考案に係る傘立ては、縦枠を正方形とし、該縦枠を含めこれに直交する正方形の２面を傘挿し穴枠とし、これら各枠に対面する正方形の３面を窓状枠としてなる立方体と、該立方体の窓状枠の周枠に載置できる底部を有し、石突挿し穴枠を上面に持つ水滴受皿とを、設けたことを特徴とし、前記縦枠の傘挿し穴を含め、傘挿し穴枠の穴の数を異にしておくことにより、家族や来客数に合わせて傘挿し穴の数が自由に選べるように構成した。